(57)【要約】【課題】主に自動車内の各種電子機器の操作に用いられる入力装置に関し、誤検出がなく、確実な操作が可能なものを提供することを目的とする。【解決手段】制御手段１７が第二のスイッチ接点７Ａや７Ｂ、７Ｃ等からの電圧を検出した際、これに対応した第一のスイッチ接点２Ａや２Ｂ、２Ｃ等からの電圧によって、操作された第二のスイッチ接点７Ａや７Ｂ、７Ｃ等を判別することで、接続された電子機器２０が異なる機器に取替えられ、第二のスイッチ接点７Ａや７Ｂ、７Ｃ等からの電圧が異なる値となった場合でも、同時に操作された第一のスイッチ接点２Ａや２Ｂ、２Ｃ等からの電圧によって、制御手段１７が操作の判別を行うため、誤検出がなく、確実な操作が可能な入力装置を得ることができる。【選択図】図１
2013125723.tif 000002
【特許請求の範囲】
【請求項１】
直列に接続された複数の第一の抵抗と、この第一の抵抗に接続された複数の第一のスイッチ接点と、この第一のスイッチ接点下方に形成され、直列に接続された複数の第二の抵抗に接続された複数の第二のスイッチ接点と、これらに接続された制御手段からなり、上記制御手段が上記第二のスイッチ接点からの電圧を検出した際、これに対応した上記第一のスイッチ接点からの電圧によって、操作された上記第二のスイッチ接点を判別する入力装置。
【発明の詳細な説明】
【技術分野】
【０００１】
本発明は、主に自動車内の各種電子機器の操作に用いられる入力装置に関するものである。
【背景技術】
【０００２】
近年、自動車内のステアリングホイールやインストルメントパネル等に様々な操作方式の入力装置を装着し、これによって車室内の音響機器や空調機器等の各種電子機器の操作を行うものが増えており、誤操作がなく確実な操作を行えるものが求められている。
【０００３】
このような従来の入力装置について、図２及び図３を用いて説明する。
【０００４】
図３は従来の入力装置のブロック回路図、図２は入力装置の分解斜視図であり、同図において、１は略円盤状で弾性材料製の操作体で、上面には文字や記号等が表示された複数の操作部１Ａや１Ｂ、１Ｃ等が設けられている。
【０００５】
そして、２はメンブレンスイッチで、下面に複数の可動接点が形成された上シートと、上面に複数の固定接点が形成された下シートが、上下面に粘着剤が塗布されたスペーサによって貼り合わされ、これらの可動接点と固定接点が所定の間隙を空けて対向して、複数の第一のスイッチ接点２Ａや２Ｂ、２Ｃ等が形成されている。
【０００６】
また、３は略円筒状で絶縁樹脂製の保持体で、この保持体３上面にメンブレンスイッチ２が載置されると共に、第一のスイッチ接点２Ａや２Ｂ、２Ｃ下方の複数の貫通孔内には、略円柱状で絶縁樹脂製の複数の押圧体４Ａや４Ｂ、４Ｃ等が、上下動可能に装着されている。
【０００７】
さらに、５は上下面に複数の配線パターン（図示せず）が形成された配線基板で、この配線基板５上面には、発光ダイオード等の複数の発光素子６が実装されると共に、第一のスイッチ接点２Ａや２Ｂ、２Ｃ下方には、複数のプッシュスイッチが実装されて、第二のスイッチ接点７Ａや７Ｂ、７Ｃ等が形成されている。
【０００８】
また、配線基板５には配線パターンを介して直列に接続された、固定抵抗器等の複数の第一の抵抗８Ａや８Ｂ、８Ｃ、及び第二の抵抗９Ａや９Ｂ、９Ｃ等が実装されると共に、端子１０Ａや１０Ｂ、１０Ｃが形成されたコネクタ１０が実装装着されている。
【０００９】
そして、第一のスイッチ接点２Ａが配線パターンを介して第一の抵抗８Ａと８Ｂの間に、第一のスイッチ接点２Ｂが第一の抵抗８Ｂと８Ｃの間に、第一のスイッチ接点２Ｃが第一の抵抗８Ｃに接続されると共に、第二のスイッチ接点７Ａが第二の抵抗９Ａと９Ｂの間に、第二のスイッチ接点７Ｂが第二の抵抗９Ｂと９Ｃの間に、第二のスイッチ接点７Ｃが第二の抵抗９Ｃに接続されて、いわゆる抵抗分圧回路が形成されている。
【００１０】
さらに、これらが配線基板５に実装されたマイコン等の制御手段１１に、配線パターンを介して接続されると共に、第二のスイッチ接点７Ａや７Ｂ、７Ｃ両端が、コネクタ１０の端子１０Ａと１０Ｂに接続されて、入力装置１５が構成されている。
【００１１】
そして、このように構成された入力装置１５が、ステアリングホイールのスポーク（図示せず）等に、操作体１を上面に突出させて取付けられて自動車に装着されると共に、端子１０Ａが車両内の、例えばオーディオ等の電子機器２０の、バッテリー等の電源２１に接続されたマイコン等の駆動手段２２に、電源２１との間に抵抗２３が接続されたダイオード２４を介して電気的に接続される。
【００１２】
また、端子１０Ｂがリード線（図示せず）等によって駆動手段２２に接続されると共に、第一のスイッチ接点２Ａや２Ｂ、２Ｃが抵抗１２を介して電源１３に接続され、入力装置１５の制御手段１１には端子１０Ｃを介して、運転席前方に装着された液晶表示素子等の表示手段２５が電気的に接続される。
【００１３】
以上の構成において、ステアリングホイールを握りながら親指を伸ばして、操作したい機能が表示された操作体１の、例えばオーディオ等の電子機器２０の音量増や音量減等が表示された、操作部１Ａや１Ｂを軽く押圧操作すると、この下面の第一のスイッチ接点２Ａや２Ｂが押圧されて電気的に接続され、抵抗１２と第一の抵抗８Ａや８Ｂ等の抵抗値に応じた電圧が、入力装置１５の制御手段１１に出力される。
【００１４】
つまり、例えば操作部１Ｂを軽く押圧操作し、第一のスイッチ接点２Ｂが電気的に接続された場合には、電源１３の電圧に、第一の抵抗８Ａと８Ｂの並列抵抗と抵抗１２の分圧を乗じた電圧が、制御手段１１に出力される。
【００１５】
そして、この電圧値によって制御手段１１が、第一のスイッチ接点２Ｂが電気的に接続されたことを検出すると共に、制御手段１１から端子１０Ｃを介して所定の信号が出力され、運転席前方の表示手段２５に、例えば「オーディオ音量−」といった、操作部１Ｂの操作機能が表示される。
【００１６】
また、この表示手段２５の表示によって操作しようとしている機能を確認し、それが意図した操作機能である場合には、操作部１Ｂに指を当接させたまま、やや強く押圧操作すると、メンブレンスイッチ２が撓み押圧体４Ｂが下方向へ移動して、第一のスイッチ接点２Ｂ下方の第二のスイッチ接点７Ｂが電気的に接続され、抵抗２３と第二の抵抗９Ａや９Ｂの抵抗値に応じた電圧が、電子機器２０の駆動手段２２と入力装置１５の制御手段１１に出力される。
【００１７】
すなわち、このように第二のスイッチ接点７Ｂが押圧操作された場合には、電源２１の電圧からダイオード２４の順電圧を減じた電圧に、第二の抵抗９Ａと９Ｂの並列抵抗と抵抗２３の分圧を乗じた電圧が、駆動手段２２と制御手段１１に出力される。
【００１８】
そして、この電圧値によって駆動手段２２と制御手段１１が、第二のスイッチ接点７Ｂが操作されたことを検出して、駆動手段２２が機器の制御を行い、例えばオーディオ等の電子機器２０の音量が減少すると共に、同時に、制御手段１１が所定の信号を表示手段２５へ出力して、例えば表示手段２５に操作後の音量の状態が表示される。
【００１９】
なお、上記のように操作体１上面を軽く押圧操作して、表示手段２５に操作部１Ｂの機能が表示された際、これが操作したい機能ではなく、すなわち誤った箇所を操作していた場合には、操作体１上で指を移動させて、操作部１Ａや１Ｃ等を軽く押圧操作すれば、この下面の第一のスイッチ接点２Ａや２Ｃ等の電気的接離が行われ、この電圧を制御手段１１が検出して、これらの操作機能が表示手段２５に表示される。
【００２０】
また、このように操作体１上で指を移動させて、操作したい機能を選択した後、そのままやや強く押圧操作すれば、第二のスイッチ接点７Ａや７Ｃ等の電気的接離が行われ、この電圧を駆動手段２２や制御手段１１が検出して、音量や温度等の増加といった電子機器２０の操作や、操作後の機能の状態が表示手段２５に表示される。
【００２１】
つまり、操作部１Ａや１Ｂ、１Ｃ等のいずれかに指を触れ軽く押圧すると、これらの操作機能が表示手段２５に表示されるため、手元の操作部１Ａや１Ｂ、１Ｃ等をいちいち見て確認する必要がなく、容易に操作が行えると共に、表示手段２５で操作したい機能を選択した後、そのままやや強く押圧操作することで、電子機器２０の様々な操作と、表示手段２５への操作後の機能状態の表示が行われるように構成されているものであった。
【００２２】
なお、この出願の発明に関連する先行技術文献情報としては、例えば、特許文献１が知られている。
【先行技術文献】
【特許文献】
【００２３】
【特許文献１】特開２００８−１０３１２８号公報
【発明の概要】
【発明が解決しようとする課題】
【００２４】
しかしながら、上記従来の入力装置においては制御手段１１が、抵抗１２と第一の抵抗８Ａや８Ｂ、８Ｃ等の分圧によって、第一のスイッチ接点２Ａや２Ｂ、２Ｃ等の操作を、抵抗２３と第二の抵抗９Ａや９Ｂ、９Ｃ等の分圧によって、第二のスイッチ接点７Ａや７Ｂ、７Ｃ等の操作を検出しているが、電子機器２０の抵抗２３やダイオード２４の抵抗値、電源２１の電圧値はメーカーや機種毎に異なるため、これらの値が異なる機器に取替えた場合、機器に接続された第二のスイッチ接点７Ａや７Ｂ、７Ｃ等を操作した際の電圧が異なる値となり、どの第二のスイッチ接点７Ａや７Ｂ、７Ｃが操作されたかを、制御手段１１が誤って検出してしまう場合があるという課題があった。
【００２５】
本発明は、このような従来の課題を解決するものであり、誤検出がなく、確実な操作が可能な入力装置を提供することを目的とする。
【課題を解決するための手段】
【００２６】
上記目的を達成するために本発明は、制御手段が第二のスイッチ接点からの電圧を検出した際、これに対応した第一のスイッチ接点からの電圧によって、操作された第二のスイッチ接点を判別するようにして入力装置を構成したものであり、接続された電子機器が異なる機器に取替えられ、第二のスイッチ接点からの電圧が異なる値となった場合でも、同時に操作された第一のスイッチ接点からの電圧によって、制御手段が第二のスイッチ接点の判別を行うことで、誤検出がなく、確実な操作が可能な入力装置を得ることができるという作用を有するものである。
【発明の効果】
【００２７】
以上のように本発明によれば、誤検出がなく、確実な操作が可能な入力装置を実現することができるという有利な効果が得られる。
【図面の簡単な説明】
【００２８】
【図１】本発明の一実施の形態による入力装置のブロック回路図
【図２】入力装置の分解斜視図
【図３】従来の入力装置のブロック回路図
【発明を実施するための形態】
【００２９】
以下、本発明の実施の形態について、図１及び図２を用いて説明する。
【００３０】
なお、背景技術の項で説明した構成と同一構成の部分には同一符号を付して、詳細な説明を簡略化する。
【００３１】
（実施の形態）
図１は本発明の一実施の形態による入力装置のブロック回路図、図２は入力装置の分解斜視図であり、同図において、１は略円盤状でゴムやエラストマー等の弾性材料製の操作体で、上面には文字や記号等が表示された複数の操作部１Ａや１Ｂ、１Ｃ等が設けられている。
【００３２】
そして、２はメンブレンスイッチで、下面に銀やカーボン等の複数の可動接点が形成された、ポリイミドやポリエチレンテレフタレート等の可撓性の上シートと、同じく上面に複数の固定接点が形成された下シートが、上下面にアクリルやシリコーン等の粘着剤が塗布されたスペーサによって貼り合わされ、これらの可動接点と固定接点が所定の間隙を空けて対向して、複数の第一のスイッチ接点２Ａや２Ｂ、２Ｃ等が形成されている。
【００３３】
また、３は略円筒状でポリオキシメチレンやＡＢＳ等の絶縁樹脂製の保持体で、この保持体３上面にメンブレンスイッチ２が載置されると共に、第一のスイッチ接点２Ａや２Ｂ、２Ｃ下方の複数の貫通孔内には、略円柱状でポリカーボネートやポリオキシメチレン等の絶縁樹脂製の、複数の押圧体４Ａや４Ｂ、４Ｃ等が上下動可能に装着されている。
【００３４】
さらに、５は紙フェノールやガラス入りエポキシ等の配線基板で、上下面には銅箔等によって複数の配線パターン（図示せず）が形成され、配線基板５上面には、発光ダイオード等の複数の発光素子６が実装されると共に、第一のスイッチ接点２Ａや２Ｂ、２Ｃ下方には、複数のプッシュスイッチが実装されて、第二のスイッチ接点７Ａや７Ｂ、７Ｃ等が形成されている。
【００３５】
また、配線基板５には配線パターンを介して直列に接続された、固定抵抗器等の複数の第一の抵抗８Ａや８Ｂ、８Ｃ、及び第二の抵抗９Ａや９Ｂ、９Ｃ等が実装されると共に、端子１０Ａや１０Ｂ、１０Ｃが形成されたコネクタ１０が実装装着されている。
【００３６】
そして、第一のスイッチ接点２Ａが配線パターンを介して第一の抵抗８Ａと８Ｂの間に、第一のスイッチ接点２Ｂが第一の抵抗８Ｂと８Ｃの間に、第一のスイッチ接点２Ｃが第一の抵抗８Ｃに接続されると共に、第二のスイッチ接点７Ａが第二の抵抗９Ａと９Ｂの間に、第二のスイッチ接点７Ｂが第二の抵抗９Ｂと９Ｃの間に、第二のスイッチ接点７Ｃが第二の抵抗９Ｃに接続されて、いわゆる抵抗分圧回路が形成されている。
【００３７】
さらに、これらが配線基板５に実装されたマイコン等の制御手段１７に、配線パターンを介して接続されると共に、第二のスイッチ接点７Ａや７Ｂ、７Ｃ両端が、コネクタ１０の端子１０Ａと１０Ｂに接続されて、入力装置１８が構成されている。
【００３８】
そして、このように構成された入力装置１８が、ステアリングホイールのスポーク（図示せず）等に、操作体１を上面に突出させて取付けられて自動車に装着されると共に、端子１０Ａが車両内の、例えばオーディオ等の電子機器２０の、バッテリー等の電源２１に接続されたマイコン等の駆動手段２２に、電源２１との間に抵抗２３が接続されたダイオード２４を介して電気的に接続される。
【００３９】
また、端子１０Ｂがリード線（図示せず）等によって駆動手段２２に接続されると共に、第一のスイッチ接点２Ａや２Ｂ、２Ｃが抵抗１２を介して電源１３に接続され、入力装置１８の制御手段１７には端子１０Ｃを介して、運転席前方に装着された液晶表示素子等の表示手段２５が電気的に接続される。
【００４０】
以上の構成において、ステアリングホイールを握りながら親指を伸ばして、操作したい機能が表示された操作体１の、例えばオーディオ等の電子機器２０の音量増や音量減等が表示された、操作部１Ａや１Ｂを軽く押圧操作すると、この下面の第一のスイッチ接点２Ａや２Ｂが押圧されて電気的に接続され、抵抗１２と第一の抵抗８Ａや８Ｂ等の抵抗値に応じた電圧が、入力装置１８の制御手段１７に出力される。
【００４１】
つまり、例えば操作部１Ｂを軽く押圧操作し、第一のスイッチ接点２Ｂが電気的に接続された場合には、電源１３の電圧に、第一の抵抗８Ａと８Ｂの並列抵抗と抵抗１２の分圧を乗じた電圧が、制御手段１７に出力される。
【００４２】
そして、この電圧値によって制御手段１７が、第一のスイッチ接点２Ｂが電気的に接続されたことを検出すると共に、制御手段１７から端子１０Ｃを介して所定の信号が出力され、運転席前方の表示手段２５に、例えば「オーディオ音量−」といった、操作部１Ｂの操作機能が表示される。
【００４３】
また、この表示手段２５の表示によって操作しようとしている機能を確認し、それが意図した操作機能である場合には、操作部１Ｂに指を当接させたまま、やや強く押圧操作すると、メンブレンスイッチ２が撓み押圧体４Ｂが下方向へ移動して、第一のスイッチ接点２Ｂ下方の第二のスイッチ接点７Ｂが電気的に接続され、抵抗２３と第二の抵抗９Ａや９Ｂの抵抗値に応じた電圧が、電子機器２０の駆動手段２２と入力装置１８の制御手段１７に出力される。
【００４４】
すなわち、このように第二のスイッチ接点７Ｂが押圧操作された場合には、電源２１の電圧からダイオード２４の順電圧を減じた電圧に、第二の抵抗９Ａと９Ｂの並列抵抗と抵抗２３の分圧を乗じた電圧が、駆動手段２２と制御手段１７に出力される。
【００４５】
そして、この電圧値によって駆動手段２２が、第二のスイッチ接点７Ｂが操作されたことを検出して、機器の制御を行い、例えばオーディオ等の電子機器２０の音量が減少する。
【００４６】
また、この第二のスイッチ接点７Ｂからの電圧値を制御手段１７も検出するが、この時、制御手段１７はこの電圧値に関わりなく、同時に操作されている第一のスイッチ接点２Ｂからの電圧値によって、第二のスイッチ接点７Ｂが操作されたことを判別し、所定の信号を表示手段２５へ出力して、例えば表示手段２５に操作後の音量の状態が表示される。
【００４７】
つまり、第二のスイッチ接点７Ａや７Ｂ、７Ｃ等が操作され、これらから電圧が出力された場合、この電圧によって第二のスイッチ接点７Ａや７Ｂ、７Ｃ等の、いずれかが操作されたことを制御手段１７が検出はするが、これらの電圧値ではなく、これらに対応して同時に操作されている、第一のスイッチ接点２Ａや２Ｂ、２Ｃ等からの電圧によって、制御手段１７が第二のスイッチ接点７Ａや７Ｂ、７Ｃ等の操作を判別するようになっている。
【００４８】
なお、上記のように操作体１上面を軽く押圧操作して、表示手段２５に操作部１Ｂの機能が表示された際、これが操作したい機能ではなく、すなわち誤った箇所を操作していた場合には、操作体１上で指を移動させて、操作部１Ａや１Ｃ等を軽く押圧操作すれば、この下面の第一のスイッチ接点２Ａや２Ｃ等の電気的接離が行われ、この電圧を制御手段１７が検出して、これらの操作機能が表示手段２５に表示される。
【００４９】
また、このように操作体１上で指を移動させて、操作したい機能を選択した後、そのままやや強く押圧操作すれば、第二のスイッチ接点７Ａや７Ｃ等の電気的接離が行われ、この電圧を駆動手段２２が検出して、音量や温度等の増加といった電子機器２０の操作が行われると共に、制御手段１７が第二のスイッチ接点７Ａや７Ｃ等に対応した、第一のスイッチ接点２Ａや２Ｃ等からの電圧によって、第二のスイッチ接点７Ａや７Ｃ等の操作を判別し、操作後の機能の状態が表示手段２５に表示される。
【００５０】
つまり、操作部１Ａや１Ｂ、１Ｃ等のいずれかに指を触れ軽く押圧すると、これらの操作機能が表示手段２５に表示されるため、手元の操作部１Ａや１Ｂ、１Ｃ等をいちいち見て確認する必要がなく、容易に操作が行えると共に、表示手段２５で操作したい機能を選択した後、そのままやや強く押圧操作することで、電子機器２０の様々な操作と、表示手段２５への操作後の機能状態の表示が行われるように構成されている。
【００５１】
そして、本発明においては、上記のように制御手段１７が、第二のスイッチ接点７Ａや７Ｂ、７Ｃ等からの電圧を検出した際、これに対応した第一のスイッチ接点２Ａや２Ｂ、２Ｃ等からの電圧によって、操作された第二のスイッチ接点７Ａや７Ｂ、７Ｃ等を判別しているため、電子機器２０が他のメーカーのものや機種に取替えられた場合でも、第二のスイッチ接点７Ａや７Ｂ、７Ｃ等の操作を、誤りなく検出できるようになっている。
【００５２】
すなわち、電子機器２０を他のメーカーのものや機種に取替えた場合、抵抗２３やダイオード２４の抵抗値、電源２１の電圧値はメーカーや機種毎に異なるため、端子１０Ａと１０Ｂを介して機器に接続され、電源２１の電圧やダイオード２４の順電圧、抵抗２３の分圧によって制御手段１７へ出力する電圧値が決まる、第二のスイッチ接点７Ａや７Ｂ、７Ｃ等からの電圧は、取替える前の電圧とは異なった値となってしまう。
【００５３】
これに対し、入力装置１８内の電源１３の電圧や、第一の抵抗８Ａや８Ｂ、８Ｃ等の並列抵抗と抵抗１２の分圧によって、制御手段１７へ出力する電圧値が決まる、第一のスイッチ接点２Ａや２Ｂ、２Ｃ等からの電圧は、接続された電子機器２０が他のメーカーのものや機種に替った場合でも変化せず、第一のスイッチ接点２Ａや２Ｂ、２Ｃ等を操作した際には、常に所定の電圧が制御手段１７へ出力される。
【００５４】
つまり、第二のスイッチ接点７Ａや７Ｂ、７Ｃ等が操作され、これらから制御手段１７に電圧が出力された際、この電圧によって制御手段１７が、いずれかの第二のスイッチ接点７Ａや７Ｂ、７Ｃ等が操作されたことを検出はするが、どの第二のスイッチ接点７Ａや７Ｂ、７Ｃが操作されたかは検出せず、これらの上方に設けられ、これらが押圧操作された際には、これに対応したいずれかが必ず押圧操作され、常に所定の電圧値が出力される第一のスイッチ接点２Ａや２Ｂ、２Ｃ等からの電圧によって、操作された第二のスイッチ接点７Ａや７Ｂ、７Ｃ等を判別することによって、電子機器２０が異なる機器に取替えられた場合でも、表示手段２５への操作後の機能状態の表示等を、誤りなく行えるように構成されている。
【００５５】
また、第一のスイッチ接点２Ａや２Ｂ、２Ｃ等と、この下方に形成された第二のスイッチ接点７Ａや７Ｂ、７Ｃ等からの、両方の電圧を制御手段１７が検出し、軽く押圧され第一のスイッチ接点２Ａや２Ｂ、２Ｃ等のみが操作された場合には、これらの操作機能を表示手段２５に表示し、やや強く押圧され第二のスイッチ接点７Ａや７Ｂ、７Ｃ等も操作された場合には、操作後の機能状態を表示手段２５に表示することによって、誤りなく容易に、多様な操作が可能なようになっている。
【００５６】
さらに、電子機器２０の駆動手段２２は、第二のスイッチ接点７Ａや７Ｂ、７Ｃ等からの電圧によって、音量や温度の増加や減少といった機器の操作を行うが、上記のように電子機器２０が異なる機器に取替えられた場合でも、取替えられた抵抗２３やダイオード２４の抵抗値、電源２１の電圧値を基準として、駆動手段２２が第二のスイッチ接点７Ａや７Ｂ、７Ｃ等の検出を行うため、機器の制御には誤操作は生じない。
【００５７】
なお、以上の説明では、メンブレンスイッチ２によって第一のスイッチ接点２Ａや２Ｂ、２Ｃ等を、単品のプッシュスイッチを用いて第二のスイッチ接点７Ａや７Ｂ、７Ｃ等を形成した構成について説明したが、シート状で静電容量方式等のパネルスイッチを用いて、第一のスイッチ接点を形成した構成や、配線基板５上面にカーボン等によって固定接点を形成し、この上方に略ドーム状で導電金属薄板製の可動接点を載置したものや、あるいは、下面に可動接点が形成された略ドーム状の可撓性のゴム接点を用いたもので第二のスイッチ接点を形成した構成等、様々な構成においても本発明の実施は可能である。
【００５８】
このように本実施の形態によれば、制御手段１７が第二のスイッチ接点７Ａや７Ｂ、７Ｃ等からの電圧を検出した際、これに対応した第一のスイッチ接点２Ａや２Ｂ、２Ｃ等からの電圧によって、操作された第二のスイッチ接点７Ａや７Ｂ、７Ｃ等を判別することで、接続された電子機器２０が異なる機器に取替えられ、第二のスイッチ接点７Ａや７Ｂ、７Ｃ等からの電圧が異なる値となった場合でも、同時に操作された第一のスイッチ接点２Ａや２Ｂ、２Ｃ等からの電圧によって、制御手段１７が第二のスイッチ接点７Ａや７Ｂ、７Ｃ等の判別を行うため、誤検出がなく、確実な操作が可能な入力装置を得ることができるものである。
【産業上の利用可能性】
【００５９】
本発明による入力装置は、誤検出がなく、確実な操作が可能なものを実現できるという有利な効果を有し、主に自動車の各種電子機器の操作用として有用である。
【符号の説明】
【００６０】
１  操作体
１Ａ、１Ｂ、１Ｃ  操作部
２  メンブレンスイッチ
２Ａ、２Ｂ、２Ｃ  第一のスイッチ接点
３  保持体
４Ａ、４Ｂ、４Ｃ  押圧体
５  配線基板
６  発光素子
７Ａ、７Ｂ、７Ｃ  第二のスイッチ接点
８Ａ、８Ｂ、８Ｃ  第一の抵抗
９Ａ、９Ｂ、９Ｃ  第二の抵抗
１０  コネクタ
１０Ａ、１０Ｂ、１０Ｃ  端子
１２、２３  抵抗
１３、２１  電源
１７  制御手段
１８  入力装置
２０  電子機器
２２  駆動手段
２４  ダイオード
２５  表示手段
【図１】
2013125723.tif 000003
【図２】
2013125723.tif 000004
【図３】
2013125723.tif 000005